(57)【特許請求の範囲】
【請求項１】
横葺きされた金属屋根の棟側金属屋根板と軒側金属屋根板との連結部又は横葺きされた金属壁面の上段側金属成形板と下段側金属成形板との連結部に装着される化粧瓦棒取付け金具であり、先端が棟側金属屋根板又は上段側金属成形板と軒側金属屋根板又は下段側金属成形板との隙間に挿し込まれる着座部の後端から起立部が立ち上がる着座片と、該着座片の起立部に固着され、化粧瓦棒を内側から支持する平面部の両側から棟方向に取付け腕が延びている化粧瓦棒固定片と、着座片の起立部と化粧瓦棒固定片の平面部との間に基端部が差し込まれ、棟側金属屋根板の軒側端部近傍又は上段側金属成形板の下部近傍に押し付けられる押え部が先端に形成された押え金具と、着座片のボルト孔に挿通され、押え金具のボルト挿通孔から突出する脚部にナットが装着され、ナットの締め付けによって押え金具の押え部を棟側金属屋根板の軒側端部近傍又は上段側金属成形板の下部近傍に押し付けるボルトとを備え、化粧瓦棒固定片の取付け腕は平面部よりも下方に突出し、化粧瓦棒が装着された状態では取付け腕の下縁が化粧瓦棒を介して軒側金属屋根板の棟側近傍又は上段側金属成形板の下部近傍に接触することを特徴とする化粧瓦棒取付け金具。
【発明の詳細な説明】
【０００１】
【産業上の利用分野】
本発明は、金属屋根板を横葺きした金属屋根や壁面に化粧瓦棒を取り付けて建築物にアクセントをもたせる化粧瓦棒の取付けに使用される取付け金具に関する。
【０００２】
【従来の技術】
比較的軽量で強度も良好な金属屋根は、屋根下地の躯体に加わる負荷が小さく、釘やビスを使用して簡単に結合できるため、一般家屋，公共施設等の各種建築物で使用されている。金属屋根を用いる屋根葺では、所定のサイズに成形された単位屋根板を使用することから横葺き工法が多用されている。
横葺き工法では、軒先側の金属屋根板１を野地板２に釘，ビス，ボルト等で固定した後、軒先側金属屋根板１の棟側にある係止突起１ａに棟側金属屋根板１の係合凹部１ｂを噛み合わせて軒先側金属屋根板１に連結した棟側金属屋根板１を野地板２に固着する（図１）。以下、同様な作業を繰り返し、軒先から棟側に向けて金属屋根板１を敷設する。金属壁面も同様な工法で成形金属板が横葺きされる。
【０００３】
横葺きしたままの金属屋根板１や金属壁面は、屋根一面にフラットな状態で敷き詰められているため、看者に与える印象が弱い。そこで、最近では、横葺き屋根に軒先から棟方向に延びる化粧瓦棒３を取り付け、或いは金属壁面に化粧瓦棒を鉛直方向に取り付け、屋根や壁面にアクセントを付けることが検討されている。本発明者等も、化粧瓦棒を取り付けた横葺き屋根を開発しており、その一部を特開平９−１９５４５０号公報，特開平９−３２４５０６号公報で紹介した。
【０００４】
横葺きした金属屋根に化粧瓦棒３を取り付ける際に使用される取付け金具４は、軒先側金属屋根板１と棟側金属屋根板１との連結部に挿し込まれる舌片４ａが先端に形成された差込片４ｂを備えている（図２）。舌片４ａの反対側で差込片４ｂから立ち上がった立上り部４ｃは折り返された後、棟側に曲げられた押え片４ｄになる。差込片４ｂにボルト４ｅが固着され、押え片４ｄに形成されたボルト孔を貫通して突出するボルト４ｅの先端にナット４ｆがねじ込まれる。ナット４ｆを締め付けると、押え片４ｄは弾性変形して舌片４ａに接近する。立上り部４ｃには、支持板４ｇがリベット４ｈで固着されている。支持板４ｇは両側が棟方向に曲げ加工された側板４ｉになっており、化粧瓦棒３取付け用のボルトが挿通される長孔４ｊが側板４ｉに形成されている。
【０００５】
取付け金具４は、軒先側金属屋根板１と棟側金属屋根板１との連結部の隙間に舌片４ａが挿し込まれた後、ボルト４ｅにナット４ｆをねじ込み押え片４ｄを下方に弾性変形させ、棟側金属屋根板１の軒先側端部を舌片４ａと押え片４ｄとの間に挟み込むことにより固着される。次いで、取付け金具４に覆い被さるように化粧瓦棒３をあてがい、化粧瓦棒３に形成されているリベット孔（図示せず）に長孔４ｊを位置合せし、取付け金具４の側板４ｉに化粧瓦棒３をリベット止めする。
【０００６】
【発明が解決しようとする課題】
この取付け金具４では、金属屋根板１の軒先側端部を挟み込む舌片４ａ及び押え片４ｄと化粧瓦棒３を固定する側板４ｉとがボルト４ｅの反対側に位置している。この位置関係では、舌片４ａ，押え片４ｄから長孔４ｊまでの距離が長く、側板４ｉに固定された化粧瓦棒３が風圧等の影響を受けると舌片４ａ，押え片４ｄを中心として立上り部４ｃ側が浮き上がり易い。立上り部４ｃの浮き上がりによって金属屋根板１と化粧瓦棒３との間の隙間が大きくなると、見栄えが悪くなることは勿論、中空状になっている化粧瓦棒３の内部に吹き込まれた空気によって化粧瓦棒３が金属屋根板１から外れる虞れがある。
【０００７】
そこで、本発明者は、側板４ｉに形成される長孔４ｊをボルト４ｅよりも舌片４ａ，押え片４ｄ側に位置させた取付け金具を提案した（特開２０００−３１００１２号公報）。提案した取付け金具４を使用すると、化粧瓦棒３の固着個所を棟側金属屋根板１の軒側端部に近い位置に設定でき、化粧瓦棒３の固着部に加わるモーメントが小さく、風圧による取付け金具４及び化粧瓦棒３の浮き上りが防止される。
【０００８】
【課題を解決するための手段】
本発明は、先に提案した取付け金具を更に改良したものであり、幅広の取付け腕をもつ化粧瓦棒固定片を組み込むことによって、側板の下縁で軒側金属屋根板の棟側端部近傍又は下段側金属成形板の上部近傍を押さえ、その反力で化粧瓦棒を一層確実に固定保持し、耐食性にも優れた化粧瓦棒の取付けを可能にすることを目的とする。
【０００９】
本発明の化粧瓦棒取付け金具は、その目的を達成するため、横葺きされた金属屋根の棟側金属屋根板と軒側金属屋根板との連結部又は横葺きされた金属壁面の上段側金属成形板と下段側金属成形板との連結部に装着される化粧瓦棒取付け金具であり、先端が棟側金属屋根板又は上段側金属成形板と軒側金属屋根板又は下段側金属成形板との隙間に挿し込まれる着座部の後端から起立部が立ち上がる着座片と、該着座片の起立部に固着され、化粧瓦棒を内側から支持する平面部の両側から棟方向に取付け腕が延びている化粧瓦棒固定片と、着座片の起立部と化粧瓦棒固定片の平面部との間に基端部が差し込まれ、棟側金属屋根板の軒側端部近傍又は上段側金属成形板の下部近傍に押し付けられる押え部が先端に形成された押え金具と、着座片のボルト孔に挿通され、押え金具のボルト挿通孔から突出する脚部にナットが装着され、ナットの締め付けによって押え金具の押え部を棟側金属屋根板の軒側端部近傍又は上段側金属成形板の下部近傍に押し付けるボルトとを備え、化粧瓦棒固定片の取付け腕は平面部よりも下方に突出し、化粧瓦棒が装着された状態では取付け腕の下縁が化粧瓦棒を介して軒側金属屋根板の棟側近傍又は上段側金属成形板の下部近傍に接触することを特徴とする。
【００１０】
【実施の形態】
本発明に従った化粧瓦棒取付け金具Ａは、たとえば図３の分解斜視図に示すように、金属屋根板１（図１）上に配置される着座片１０，着座片１０にリベット２１で固着される化粧瓦棒固定片２０，着座片１０に形成されているスリット１１に基端部３１が挿し込まれる押え金具３０を備えている。以下の説明では、横葺きした金属屋根に対する化粧瓦棒の取付けを例に本発明を具体的に説明するが、金属成形板を横葺きして構築された壁面に対しても同様な方法で化粧瓦棒が取り付けられることは勿論である。
着座片１０は、金属屋根板１の表面に接する着座部１２の先端（図４では右下側）が若干上方に傾斜した差込部１３になっている。着座部１２の中央には、ボルト４０が挿し込まれるボルト孔１４が設けられている。ボルト孔１４の周辺は、ボルト４０の頭部４１を収容するため若干盛り上がっている。ボルト孔１４は、矩形状に穿設されており、ボルト４０の頭部４１と脚部４２との間に形成されている矩形部４３が嵌まり込むことによりボルト４０を回り止めする。ボルト４０は、着座片１０と別体にする必要はなく、溶接等で着座片１０に固着して起立させたボルトも使用可能である。着座部１２には、ボルト孔１４の両側にビード１５，１５が形成されている。ビード１５は、着座部１２を補強すると共に、着座部１２の弾撥力を高める。
【００１１】
差込部１３とは反対側の端部から、スリット１１が形成された起立部１６が立ち上がっている。起立部１６にも、ビード１５から連続してほぼ同じ形状のビード１７が形成されている。スリット１１の上部は棟側に若干隆起した差込部１８になっており、リベット孔１９，２２に挿し込まれたリベット２１で起立部１６に化粧瓦棒固定片２０を固着したとき、化粧瓦棒固定片２０の平面部２３と起立部１６との間に押え金具３０の基端部３１が挿し込まれる隙間を形成する。リベット２１に替え、ボルト，溶接等で化粧瓦棒固定片２０を着座片１０に固着することもできる。
【００１２】
化粧瓦棒固定片２０の平面部２３は、化粧瓦棒５０に断面形状に対応して五角形状，矩形状，半円形状に形成されている。図示の例では、半円筒状の化粧瓦棒５０（図５）を支持する五角形状になっており、平面部２３の縁が化粧瓦棒５０を内側に支持する支持稜２４となる。また、起立部１６のリベット孔１９に対応する位置にリベット孔２２が形成されている。
平面部２３の形状は、化粧瓦棒５０の断面形状に応じて適宜変更される。半円筒状の化粧瓦棒５０（図６）を使用する場合には、背の低い平面部２３で良いが、大きな内部空間をもつ化粧瓦棒５０に対してはその内部空間に見合ったサイズの平面部２３に設計される。
【００１３】
平面部２３の両側から取付け腕２５が棟側に延びている。取付け腕２５は、平面部２３よりも下方に突出している。取付け腕２５の下縁は、化粧瓦棒５０を装着した状態では化粧瓦棒５０の内曲げ部５１（図５）を介して金属屋根板１に接触する押圧辺２６となる。
取付け腕２５には、棟方向に長い長孔２７が形成されている。長孔２７は、可能な限り取付け腕２５の棟側縁部近傍に形成することが好ましく、少なくとも着座片１０に化粧瓦棒固定片２０を固着した状態ではボルト４０と差込部１３との間に位置させる。この位置関係により、長孔２７形成部分に加わる回転モーメントが大幅に軽減される。
【００１４】
押え金具３０は、スリット１１から挿し込んだ基端部３１を差込部１８と平面部２３との間に挟み、化粧瓦棒固定片２０を着座片１０に固着するとき、着座片１０に片持ち状態で支持される。押え金具３０は、中央にボルト挿通孔３２が形成された押え本体３３を備えている。ボルト挿通孔３２の両側位置で、補強及び弾性力向上に有効なビード３４，３４が棟方向に沿って形成されている。また、ボルト４０にナット４５をねじ込んだとき、弾撥力が効果的に働くようにボルト挿通孔３２の周辺が上方に隆起した盛上げ部３５になっている。
【００１５】
基端部３１の反対側で、押え本体３３の棟側縁部が折り下げられて押え部３６が形成されている。押え本体３３と基端部３１との間の角度は、若干鋭角にすることが好ましい。これにより、差込部１８と平面部２３との間に基端部３１が挿し込まれた状態で押え本体３３が若干上方に傾斜し、ボルト４０にワッシャ４４を介してナット４５をねじ込んだときナット４５のねじ込み力が押え本体３３の弾性変形に効率よく利用される。押え本体３３と押え部３６との間の角度は、押え部３６の下端が金属屋根板１の表面に直接又は間接に接触する限り、特に制約されるものではない。
【００１６】
押え金具３０を着座片１０と別体にし、差込部１８と平面部２３との間に基端部３１を差し込む方式を採用しているので、図３で上下方向に関して押え金具３０が移動できる距離が大きく、化粧瓦棒５０を取り付けようとする屋根に葺かれている金属屋根板１の軒側高さ（厚み）に応じて差込部１３と押え部３６との間隙を調整できる。
押え本体３３から押え部３６が曲がる位置で、押え本体３３の幅方向中心部に位置合せ用のマーク３７が刻印されている。マーク３７が押え本体３３の中心にあるため、左揃え，右揃え等の誤作業がなく、横葺きした金属屋根板１に引いた罫書き線にマーク３７を位置合せすることにより、取付け金具Ａを棟方向に沿って直線配列できる。
【００１７】
押え部３６には、キャップ３８を装着することが好ましい。キャップ３８を図３に示すように屋根左右方向にみてほぼＬ型断面にし、押え部３６に被せたキャップ３８が押え本体３３の押え部３６近傍まで覆い被さるとき、装着されたキャップ３８が容易に離脱しなくなる。キャップ３８を透明軟質樹脂で作ると、押え部３６及び押え本体３３の先端部がキャップ３８で覆われた状態でもキャップ３８を透かしてマーク３７を観察できる。或いは、キャップ３８の幅方向中央部にマークを刻印し、このマークを指標とすることもできる。
【００１８】
取付け金具Ａを介して横葺き屋根に取り付けられる化粧瓦棒５０は、図５に示すように金属屋根板１の棟方向実効長さｗに一致する内曲げ部５１を備えている。内曲げ部５１は、金属切板の幅方向端部を所定形状に切り出した後、幅方向端部を化粧瓦棒５０の内方向に曲げ加工することにより形成される。内曲げ部５１は、横葺き屋根の上に配置した化粧瓦棒５０の安定性を向上させることにも役立つ。
軒先側内曲げ部５１と棟側内曲げ部５１との間の段差ｈは、横葺きした軒側金属屋根板１と棟側金属屋根板１との間の段差ｈに等しく設定されている。図５では半円筒状の外観をもつ化粧瓦棒５０を図示しているが、ユーザーニーズに対応して種々の形状に化粧瓦棒５０を成形できることは勿論である。また、化粧瓦棒５０の形状に応じて取付け金具の化粧瓦棒固定片２０が選択される。
【００１９】
段部より若干軒側の位置で、化粧瓦棒５０の長手方向に沿って複数のリベット挿通孔５２が半円筒状基部５３に穿設されている。リベット挿通孔５２は、化粧瓦棒５０の軒先側端部及び棟側端部に形成され、更に中間の半円筒状基部５３にも形成される。棟方向に隣り合うリベット挿通孔５２，５２間の距離Ｌは、金属屋根板１の棟方向実効長さｗの整数倍（具体的には、１〜４倍）に設定される。
次いで、取付け金具Ａを用いて横葺き屋根に化粧瓦棒５０を取り付ける作業を説明する。
金属屋根板１は従来工法に従って軒先から棟に向けて多段に葺き上げられる。軒先側金属屋根板１と棟側金属屋根板１との間に段差ｈ（図６）が生じる。棟から軒先にかけて罫書き線を直線状に引き、罫書き線にマーク３７を一致させ、軒先側金属屋根板１と棟側金属屋根板１との間の連結部に差込部１３を挿し込む。
【００２０】
係止突起１ａに突き当たるまで差込部１３を挿し込むと、棟側金属屋根板１の軒先側端面から長孔２７までの距離が一定になる。棟方向に沿って複数の取付け金具Ａが挿し込まれるが、棟方向に隣り合う取付け金具Ａの間隔は、化粧瓦棒５０に形成されているリベット挿通孔５２，５２間の距離Ｌに一致させる。
差込部１３は、着座部１２から若干上向きに傾斜しているので、棟側金属屋根板１の係止突起１ａに下方から押し当てられる。また、着座部１２は、軒先側金属屋根板１の表面に着座する。挿し込まれた複数の取付け金具Ａは、罫書き線にマーク３６を一致させているので、棟から軒先にかけて罫書き線に沿った直線配列になる。
【００２１】
個々の取付け金具Ａについて、ボルト４０にナット４５を締め付け押え本体３３を押し下げると、押え部３６が金属屋根板１の軒先側端部に押し付けられる。その結果、金属屋根板１の軒先側端部が差込部１３と押え部３６との間で弾性的に挟持され、取付け金具Ａが棟側金属屋根板１の軒先側端部に固定される。このとき、押え部３６にキャップ３８が装着されているので、押え部３６の押圧によって金属屋根板１の表面が疵付くことはない。
【００２２】
所定間隔で複数の取付け金具Ａを金属屋根板１に取り付けた後、取付け金具Ａに化粧瓦棒５０を覆い被せる。棟側化粧瓦棒５０の軒先側端部は、それぞれのリベット挿通孔５２を位置合せして軒先側化粧瓦棒５０の棟側端部に覆い被せられる。化粧瓦棒５０の装着に際しては、取付け金具Ａに当る位置にある左右の内曲げ部５１を押し広げ、内曲げ部５１が取付け腕２５を乗り越えた時点で拡開力を解放する。このとき、金属屋根板１の表面が若干弾性変形して取付け腕２５との間に隙間が生じており、その隙間に化粧瓦棒５０の弾性復元力によって内曲げ部５１が挿し込まれる。内曲げ部５１を差し込んだ後、化粧瓦棒５０を棟側に若干スライドさせると、化粧瓦棒５０の段差が金属屋根板１の段差部に当接する。
【００２３】
棟側金属屋根板１の軒先側端部に固定した取付け金具Ａの取付け腕２５と軒側金属屋根板１との隙間に化粧瓦棒５０の内曲げ部５１を挿し込むと、取付け腕２５が幅広になっているので押圧辺２６が化粧瓦棒５０の内曲げ部５１を介して軒側金属屋根板１の棟側上部近傍に押し当てられる。したがって、棟側金属屋根板１に化粧瓦棒５０が密着すると共に、反力によって取付け金具Ａ自体の取付け状態も強固になる。また、取付け金具Ａを介して化粧瓦棒５０が強固に取り付けられるため、隣接するリベット挿通孔５２の距離Ｌを大きく設定でき、化粧瓦棒５０の固定に必要なリベット打ち等の作業工数を軽減することが可能となる。
【００２４】
しかも、押圧辺２６，内曲げ部５１，軒側金属屋根板１の棟側上部近傍が蜜に接触しているため、屋根傾斜面に沿って流下した雨水の横走りが防止され、取付け金具Ａの内部に雨水が流入することもない。仮に流入した場合でも、平面部２３と軒側金属屋根板１との間にある隙間ｇを介して取付け金具Ａから雨水が流出する。したがって、取付け金具Ａの内部に滞留する水分がなく、腐食に強い取付け構造となる。
棟側金属屋根板１の軒先側端面から長孔２７までの距離が一定で、段差ｈのある部分からリベット挿通孔５２までの距離も固定されている。また、棟方向に隣り合う取付け金具Ａ，Ａ間の距離を隣り合うリベット挿通孔５２，５２間の距離Ｌに一致させているので、一つのリベット挿通孔５２を化粧瓦棒固定片２０の長孔２７に合せると、残りのリベット挿通孔５２も他の長孔２７に臨む。
【００２５】
そこで、化粧瓦棒固定片２０の長孔２７及び化粧瓦棒５０のリベット挿通孔５２にリベット（図示せず）を挿し通し、化粧瓦棒固定片２０に化粧瓦棒５０の半円筒状基部５３をリベット止めする。軒先側化粧瓦棒５０と棟側化粧瓦棒５０との接続部では、軒先側化粧瓦棒５０の棟側端部にあるリベット挿通孔５２及び棟側化粧瓦棒５０の軒先側端部にあるリベット挿通孔５２にリベットを挿し通し、軒先側化粧瓦棒５０及び棟側化粧瓦棒５０が重なり合った状態で取付け金具Ａにリベット止めされる。リベット止めに替えてボルト締めによって、半円筒状基部５３を取付け金具Ａの化粧瓦棒固定片２０に固定することも可能である。
【００２６】
取付け金具Ａを介して横葺き屋根に取り付けられた化粧瓦棒５０は、軒先側金属屋根板１と棟側金属屋根板１との間にある段差ｈに対応する段差ｈを付けた半円筒状基部５３をもっている。そのため、金属屋根板１の段差ｈが化粧瓦棒５０の段差ｈで吸収され、金属屋根板１と化粧瓦棒５０との間に隙間が生じない。
また、内曲げ部５１が金属屋根板１の表面に面接触するため化粧瓦棒５０が安定配置され、平面部２３のコーナーが複数箇所で化粧瓦棒５０の内面に接触するため横葺き屋根に取り付けられた化粧瓦棒５０の形状安定性も向上する。しかも、化粧瓦棒固定片２０の長孔２７を棟側金属屋根板１の軒先側端面に接近させているので、化粧瓦棒５０をリベット止めした個所に加えられるモーメントが小さくなり、取付け金具Ａの浮き上がりが防止される。
このように、取付け金具Ａを金属屋根板１の軒先側端部に挿し込み、取付け金具Ａに化粧瓦棒５０をリベット止めするだけの簡単な作業によって、化粧瓦棒５０が金属屋根板１を多段に葺き上げた横葺き屋根に取り付けられる。
【００２７】
【発明の効果】
以上に説明したように、本発明の化粧瓦棒取付け金具は、化粧瓦棒固定片の取付け腕と金属屋根板との間の狭間隙に化粧瓦棒の内曲げ部が差し込まれる方式を採用しているため、取付け腕の下縁にある押圧辺が内曲げ部を介して金属屋根板又は金属成形板に接触する。したがって、化粧瓦棒が金属屋根板又は金属成形板に密に取り付けられ、機械的強度が向上すると共に、取付け金具の内部に雨水が滞留することもなく腐食に強い取付け構造となる。
【図面の簡単な説明】
【図１】  金属屋根板を横葺きした屋根に化粧瓦棒を取り付けた概略斜視図
【図２】  従来の化粧瓦棒取付け金具の斜視図（ａ）及び側面図（ｂ）
【図３】  本発明に従った化粧瓦棒取付け金具の分解斜視図
【図４】  同化粧瓦棒取付け金具の化粧瓦棒固定片の斜視図
【図５】  金属屋根に取り付けられる化粧瓦棒の一例
【図６】  化粧瓦棒の取付け状態を示す要部断面図
【符号の説明】
１：金属屋根板    Ａ：化粧瓦棒取付け金具    ｗ：棟方向実効長さ    ｈ：横葺き屋根の段差    ｇ：平面部２３と金属屋根板１との間の隙間
１０：着座片    １２：着座部    １３：差込部    １６：起立部
２０：化粧瓦棒固定片    ２３：平面部    ２４：支持稜    ２５：取付け腕
２６：押圧辺
３０：押え金具    ３１：基端部    ３６：押え部
４０：ボルト    ４５：ナット
５０：化粧瓦棒    ５１：内曲げ部
【図１】
0004734497.tif 000002
【図２】
0004734497.tif 000003
【図３】
0004734497.tif 000004
【図４】
0004734497.tif 000005
【図５】
0004734497.tif 000006
【図６】
0004734497.tif 000007